(57)【要約】【課題】コンパクトであり、コストも低くできる、画像支持面のキャリアビードを除去するキャリアビード・ピックオフ装置を提供する。【解決手段】キャリアビード・ピックオフ装置１５０は、第１細長セグメント１６４と主要磁気部材１８０で成る第２細長セグメント１６６を有し、ピックオフ領域Ｒｐ内に磁界を発生させる細長い固定コア１６２と、固定コア１６２上に同軸に取り付けられた回転可能な非強磁性円筒形シェル１６０と、シェルの外面の一部の上に形成された細長強磁性ストリップ１５２とを備え、強磁性ストリップは、ピックオフ領域内の磁界を通って回転するときに一時的に磁化して強磁性キャリアビードに接触して保持する。【選択図】図２
2006146216.tif 000002
【特許請求の範囲】
【請求項１】
静電写真式画像複製機の移動する感光体の現像された画像支持面から強磁性キャリアビードを除去するためのキャリアビード・ピックオフ装置であって、
（ａ）第１の細長いセグメントと第２の細長いセグメントとを有する細長い固定コアであって、前記第２の細長いセグメントが主要磁気部材を含み、該主要磁気部材は、現像された画像支持面の近くに配置することができるピックオフ領域内に集中した磁界を発生させる、前記細長い固定コアと、
（ｂ）前記細長い固定コア上にわたって同軸に取り付けられ、第１端と第２端と滑らかな外面のシェル壁とを有する、回転可能な非強磁性円筒形シェルと、
（ｃ）前記滑らかな外面の一部の上に形成された少なくとも１つの細長い強磁性ストリップとを備え、
該強磁性ストリップは、（ｉ）前記滑らかな外面の一部と共に回転し、（ii）前記ピックオフ領域内の前記集中された磁界を通って回転するときに一時的に磁化し、（iii）前記滑らかな外面の一部が前記ピックオフ領域を通って回転するとき、前記主要磁気部材によって前記滑らかな外面に向けて引き寄せられた強磁性キャリアビードに接触して保持する構成である、
ことを特徴とするキャリアビード・ピックオフ装置。
【請求項２】
現像された画像支持面が静電写真式画像複製機の現像ステーションと画像転写ステーションの間を移動するとき、前記移動感光体の現像された画像支持面から不所望の強磁性キャリアビードを除去するためのキャリアビード・ピックオフ装置であって、
（ａ）感光体の現像された画像支持面の近くに隣接して現像された画像支持面の移動方向を横切るように配向され、縦軸と滑らかな外面とを有する、回転可能な細長い円筒形シェルと、
（ｂ）現像された画像支持面の近くに配置することができる軸方向に延びるピックオフ領域内に集中された磁界を発生させるための、前記円筒形シェル内に配置され、軸方向に延びる、細長い固定主要磁気手段と、
（ｃ）前記円筒形シェルの前記滑らかな外面の一部の上に固定して形成された、少なくとも１つの強磁性材料の直線ストリップとを備え、
該直線ストリップは、（ｉ）前記滑らかな外面の一部と共に回転し、（ii）前記ピックオフ領域内の前記集中された磁界を通して一時的に磁化し、（iii）前記外面の一部が前記ピックオフ領域を通って回転するとき、前記主要磁気手段によって前記円筒形シェルの前記外面に向けて引き寄せられる強磁性キャリアビードに接触して保持する構成である、
ことを特徴とするキャリアビード・ピックオフ装置。
【請求項３】
静電写真式複製機であって、
（ａ）像形成面を有する移動可能な像形成部材と、
（ｂ）前記移動可能な像形成部材の前記像形成面上に静電トナー潜像を形成するための潜像形成手段と、
（ｃ）前記移動可能な像形成部材の移動経路に隣接して取り付けられ、前記像形成面上の静電潜像をトナー像に現像するために、強磁性キャリアビードとトナーを含む二成分現像剤を含有する現像装置と、
（ｄ）前記像形成面から画像支持基体上に前記トナー像を転写するための転写ステーションと、
（ｅ）前記像形成面上の前記トナー像から不所望の強磁性キャリアビードを除去するために、前記移動可能な像形成部材の前記移動経路に隣接して、前記移動可能な像形成部材の移動に対して前記現像装置の下流に取り付けられたキャリアビード・ピックオフ装置とを含み、
前記キャリアビード・ピックオフ装置が、
（ｉ）第１セグメントと第２セグメントを有する固定コアであって、前記第２セグメントが、前記主要磁気部材と像形成面との間に集中した磁界を発生させるための主要磁気部材を有する、固定コアと、
（ii）前記固定コアにわたって同軸に取り付けられ、第１端と第２端と滑らかな外面を有するシェル壁とを有する、回転可能な非強磁性円筒形シェルと、
（iii）前記回転可能な非強磁性円筒形シェルの前記第１端と前記第２端の間の前記滑らかな外面の一部の上に形成された、少なくとも１つの強磁性材料の直線ストリップとを備え、該直線ストリップは、（イ）前記滑らかな外面の一部と共に回転し、（ロ）前記ピックオフ領域内の前記集中された磁界を通して一時的に磁化し、（ハ）前記外面の一部が前記ピックオフ領域を通って回転するとき、前記主要磁気手段によって前記円筒形シェルの前記外面に向けて引き寄せられる強磁性キャリアビードに接触して保持する構成である、
ことを特徴とする静電写真式複製機。
【発明の詳細な説明】
【技術分野】
【０００１】
本開示は、静電写真式印刷機等の画像複製機、特に、こうした複製機の静電潜像現像装置を出た後に感光体の表面に残ることがある、二成分現像剤のキャリアビードをピックオフ（すなわちキャリアビードを感光体表面からつまみだすように除去）するための、ピックオフ装置すなわち除去装置に関する。
【背景技術】
【０００２】
静電写真式画像複製機においては、移動する感光体の表面が、帯電ステーションを通過する間に実質的に一様な電位に帯電され、次いで、像形成ステーションを通過するとき、帯電された画像支持面が、コピーされるべき原稿書類の光像に露光される。光像は、帯電した感光体の表面の一部に選択的に放電して、原稿書類を複製する静電潜像を形成する。この潜像は、次いで、現像ステーションを通るように移動し、そこで現像された画像支持面と現像剤パウダーすなわちトナーと接触することによって現像され、静電潜像と一致するパウダー像を形成する。パウダー像が、感光体と共に転写ステーションに移動し、そこでコピーシート上に転写され又はオフセット印刷される。転写されたパウダー像は、コピーシート表面に融着され、それにより原稿書類の恒久的なコピーが作成される。次いで、感光体が、現像された画像支持面から残留トナーが除去されるクリーニング・ステーションを通って帯電ステーションに戻る。
【０００３】
【特許文献１】米国特許第５０８１５０３号明細書
【特許文献２】米国特許第５３９１４５５号明細書
【特許文献３】米国特許第５４０４２１５号明細書
【発明の開示】
【発明が解決しようとする課題】
【０００４】
現像ステーション装置が二成分現像剤材料を用いて静電潜像をパウダー像に現像する場合には、微細なトナー粒子すなわちパウダーが、摩擦電気引力によって粗い強磁性キャリアビードの表面に付着されることになる。この二成分現像剤は、磁気ブラシ形成ローラのような適切な手段によって現像された画像支持面に接触して、トナーをキャリアビードから静電潜像に転写し、それにより一致するパウダー像を形成することになる。残念なことに、キャリアビードの幾つかはまた、現像ステーションを出たときに、現像された画像支持面に引き寄せられ、パウダー像と共にそこに保持される。「ビードキャリーアウト」として知られるこの現象は、静電写真式画像複製機における現在も続く長期の問題である。転写ステーションにおいて、これらの不所望に付着するキャリアビードが、コピーシート表面とパウダー像のトナー粒子との間の局部的な緊密な接触を妨げ、それにより部分コピー消失をもたらし、コピー品質を低下させる。さらに、これらの偽のキャリアビードが、クリーニング・ステーションを通過する際に、依然として現像された画像支持面に引き寄せられたままである場合には、それらは、回転クリーニング・ブラシによって機械的に除去される際に、現像された画像支持面を磨耗させることがある。したがって、現像ステーションにおいて現像された画像支持面上に残る全てのこうした偽のキャリアビードは、転写ステーションに到着する前に除去されることが非常に望ましい。また、現像された画像支持面からのこれらのキャリアビードの除去は、パウダー像を乱すことなく達成されることが望ましい。
【０００５】
別の重要な考慮事項として、上記の所望の目的を達するキャリアビード・ピックオフ装置はコンパクトであること及びコストもできるだけ少ないということがある。これは、静電写真式画像複製機において利用可能なスペースが限られていることが懸念されるからである。
【０００６】
従来の試みの例は、磁石組立体、及び、キャリアビードが感光体をピックオフする第１位置とキャリアビードが現像剤ハウジング構造に戻される第２位置との間で磁石組立体が往復移動する筐体を含む、米国特許第５，０８１，５０３号（特許文献１）において見出すことができる。その発明の一実施形態における筐体は、現像剤ハウジング構造の一部を形成する。磁石が、筐体の輪郭をなぞるようにして引っ込められ、それによりキャリアビードが現像剤ハウジング構造の中に掃き入れられる。
【０００７】
米国特許第５，３９１，４５５号（特許文献２）は、電荷保持面上に静電潜像を現像するのに用いられる現像剤材料に含まれた添加剤が、現像剤材料を含んでいる現像剤ハウジングと像形成面との中間の現像区域に現像剤材料が移動する前にその移動が阻止される方法を開示している。除去された添加剤は、現像剤材料に戻されて一緒に混合される。
【０００８】
米国特許第５，４０４，２１５号（特許文献３）は、静電写真式複製機の現像ステーションを出ていく感光体の表面から強磁性キャリアビードを除去するための方法を開示しており、キャリアビードは、細長い回転シリンダの表面に磁気的に引き寄せられる。シリンダ表面には、材料移送オーガーを形成する隆起した螺旋ねじ溝が設けられ、引き寄せられたビードを、感光体の側縁を越えてシリンダ端部に軸方向に運び、そこでキャリアビードがサンプの中に落ちるように作動する。
【課題を解決するための手段】
【０００９】
本発明によれば、静電写真式画像複製機の移動する感光体の現像された画像支持面から強磁性キャリアビードを除去するためのキャリアビード・ピックオフ装置が提供される。キャリアビード・ピックオフ装置は、（ａ）第１の細長いセグメントと第２の細長いセグメントとを有する細長い固定コアを備え、第２の細長いセグメントは、現像された画像支持面の近くに配置することができるピックオフ領域内に集中した磁界を発生させるための主要磁気部材を含んでおり、更に、（ｂ）細長い固定コアにわたって同軸に取り付けられ、第１端と第２端と滑らかな外面を有するシェル壁とを有する回転可能な非強磁性円筒形シェルと、（ｃ）滑らかな外面の一部の上に形成された、少なくとも１つの細長い強磁性ストリップとを備え、この少なくとも１つの細長い強磁性ストリップは、（ｉ）滑らかな外面の一部と共に回転し、（ii）ピックオフ領域内の集中された磁界を通して回転するときに一時的に磁化し、（iii）滑らかな外面の一部がピックオフ領域を通して回転するとき、主要磁気部材によって滑らかな外面に向けて引き寄せられる強磁性キャリアビードに接触して保持する。
【発明を実施するための最良の形態】
【００１０】
図１は、ベルト支持モジュール上に取り付けられた光導電ベルト１０を全体に用いる静電写真式複製機８を概略的に示す。光導電ベルト１０は、光導電体材料が基層上に被覆され、その基層はカーリング防止用バッキング層上に被覆されたもので形成されることが好ましい。ベルト１０は、矢印１３の方向に移動して、その移動経路の付近に配置された種々の処理ステーションを通って連続する部分を順次に前進させる。光導電ベルト１０は、剥離ロール１４、駆動ロール１６及びアイドラロール２１の回りの閉ループとして掛け渡される。
【００１１】
最初に、光導電ベルトの表面の一部が、帯電ステーションＡＡを通過する。帯電ステーションＡＡにおいて、コロナ発生装置２２が、光導電ベルト１０を相当高いほぼ一様な電位に帯電する。
【００１２】
同じく図１に示されるように、複製機８は、コントローラすなわち電子制御サブシステム（ＥＳＳ）２９を含んでおり、電子制御サブシステム（ＥＳＳ）２９は、中央演算処理ユニット（ＣＰＵ）と、電子記憶装置と、ディスプレイすなわちユーザインターフェース（ＵＩ）とを有する、独立型の専用ミニコンピュータであることが好ましい。ＥＳＳ２９は、センサ及びその接続により、画像データ及びマシンステータス情報を読み取り、取り込み、準備し、処理することができる。したがって、ＥＳＳ２９が、閉ループベルト張力調整機構２００を含む、複製機８の各構成部材及びその他のサブシステムのメイン制御システムとなる。
【００１３】
再び図１を参照すると、露光ステーションＢＢにおいて、コントローラすなわち電子サブシステム（ＥＳＳ）２９は、所望の出力イメージを表すＲＩＳ２８から画像信号を受信し、これらの信号を処理して、それらを画像の連続トーン又はグレースケールの可視化に変換し、例えば、ラスタ出力スキャナ（ＲＯＳ）３０といった変調出力生成器に伝送される。ＥＳＳ２９に伝送される画像信号は、前述のようにＲＩＳ２８から、又はコンピュータから発生することができ、それにより、静電写真式複製機８が、１つ又はそれ以上のコンピュータのための遠隔的に配置されたプリンタとして働くことを可能にする。或いは、プリンタは、高速コンピュータのための専用のプリンタとして働くことができる。複製機によって複製されることが望ましい連続トーン像に対応するＥＳＳ２９からの信号が、ＲＯＳ３０に伝送される。
【００１４】
ＲＯＳ３０は、回転ポリゴンミラーブロックを有するレーザを含む。９面ポリゴンが用いられることが好ましい。ＲＯＳ３０は、１インチ当たり約３００ピクセル又はそれ以上の解像度で光導電ベルト１０の表面上の帯電部分に照射する。ＲＯＳは、光導電ベルト１０を露光して、光導電ベルトの上に、ＥＳＳ２９から受け取った連続トーン像に対応する静電潜像を記録する。別の方法として、ＲＯＳ３０は、ラスタ毎に光導電ベルト１０の帯電部分に照射するように配置された発光ダイオード（ＬＥＤ）の直線アレイを用いることができる。
【００１５】
静電潜像が光導電面１２上に記録された後に、ベルト１０が、液体又は乾燥粒子の形態のＣ（シアン）Ｍ（マゼンタ）Ｙ（イエロー）Ｋ（ブラック）カラートナーを含む４つの現像ユニットを含む現像ステーションＣＣに潜像を前進させ、公知の技術を用いて潜像にＣＭＹＫカラートナーが静電的に引き寄せられる。潜像は、キャリア粒子からトナー粒子を引き寄せて、その潜像上にトナーパウダー像を形成する。連続的な静電潜像が現像されるのに伴って、現像剤材料からトナー粒子が使い尽くされる。トナー粒子ディスペンサ４４は、トナー粒子を現像ユニット３８の現像ハウジング４６に供給する。
【００１６】
図１を引き続き参照すると、静電潜像が現像された後に、ベルト１０上に存在するトナーパウダー像が転写ステーションＤＤに前進する。シート給送装置５０によって印刷シート４８が転写ステーションＤＤに前進される。シート給送装置５０は、スタック５４の最上部のシートと接触する給送ロール５２を含むことが好ましい。給送ロール５２は、スタック５４から垂直搬送部５６に最上部のシートを移動させるように回転する。垂直搬送部５６は、前進する支持材料のシート４８を、時間順に感光体ベルト１０から像を受け取るために像転写ステーションＤＤを越えてレジストレーション搬送部５７に導き、それにより、形成されたトナーパウダー像が転写ステーションＤＤにおいて前進するシート４８に接触するようにする。転写ステーションＤＤは、イオンをシートの裏側４８にスプレーするコロナ発生装置５８を含む。これは、光導電面１２からシート４８にトナーパウダー像を引き寄せる。転写後に、シート４８は、シート４８を加熱定着ステーションＦＦに前進させるベルト搬送部６２により矢印６０の方向に動き続ける。
【００１７】
加熱定着ステーションＦＦは、転写されたトナーパウダー像をコピーシートに恒久的に付着させる定着器組立体７０を含む。定着器組立体７０は、加熱された定着器ローラ７２と圧力ローラ７４を含むことが好ましく、コピーシート上のパウダー像が定着器ローラ７２に接触する。圧力ローラは、定着器ローラに接触して押し付けられ、トナーパウダー像をコピーシートに定着させるのに必要な圧力を与える。定着器ロールは、石英ランプ（図示せず）によって内部的に加熱される。リザーバ（図示せず）に貯蔵された剥離剤が、計量ロール（図示せず）にポンプで送られる。トリムブレード（図示せず）は、余剰の剥離剤をトリミングする。
【００１８】
次いで、シートが定着器７０を通過し、そこで像がシートに恒久的に定着され又は融着される。定着器７０を通過した後に、ゲートが、シートを、出力１７を経由して仕上げ装置又はスタッカに直接移動できるようにするか、又はシートを両面印刷パス１００の場合には、特にここでは最初に単一シート反転器８２にそらせることができるようにする。すなわち、第２シートが、片面シートであるか、又は第１面と第２面との両方に像が形成された全くの両面シートである場合には、シートは、ゲート８８を経由して出力１７に直接運ばれることになる。しかしながら、シートが両面印刷されて、次いで、片面にのみ像が印刷される場合には、ゲート８８が、シートを反転器８２に及び両面ループパス１００にそらすように配置され、そこでシートが反転され、次いで加速ニップ１０２及びベルト搬送部１１０に送られて、転写ステーションＤＤを通って再循環して戻され、そして、出口パス１７を経由して出る前に定着器７０に送られて、第２面の像が両面シートの裏側に受け取られ、恒久的に定着される。
【００１９】
印刷シートがベルト１０の光導電面１２から分離された後に、クリーニング・ステーションＥＥにおいて光導電面１２に付着した残留トナー／現像剤及び紙繊維粒子が、そこから除去される。クリーニング・ステーションＥＥは、紙繊維を阻止して除去するように光導電面１２に接触する、回転可能に取り付けられた繊維ブラシと、転写されなかったトナー粒子を除去するクリーニング・ブレードとを含む。ブレードは、用途に応じて、ワイパー（拭き取り）又はドクター（掻き取り）のいずれかの位置に構成することができる。クリーニングに続いて、放電ランプ（図示せず）が光導電面１２に光を浴びせて、次に続く像形成サイクルのために帯電されるのに先立って、光導電面上に残っているあらゆる残留静電荷を消散させる。
【００２０】
ここで図１〜図３を参照すると、現像ステーションＣＣにおける像現像の後に、光導電層１２の画像支持面Ｓ１に引き寄せられ保持されることになる、あらゆる強磁性キャリアビードを除去するために、本発明に従って構成された、キャリアビード・ピックオフ装置１５０が設けられる。図示のように、キャリアビード・ピックオフ装置１５０は、現像ステーションＣＣと転写ステーションＤＤとの間の位置において、感光体１０の表面Ｓ１の移動経路に対して密接した間隔をもって配置される。
【００２１】
図２及び図３により十分に示されるように、本発明のキャリアビード・ピックオフ装置７４は、静電写真式画像複製機８の移動する感光体１０の現像された画像支持面Ｓ１から強磁性キャリアビードを除去するのに適している。図示のように、キャリアビード・ピックオフ装置１５０は、（ａ）第１の細長いセグメント１６４と第２の細長いセグメント１６６とを有する細長い固定コア１６２と、（ｂ）回転可能な非強磁性シェル１６０とを有する。第２の細長いセグメント１６６は、シェル１６０と現像された画像支持面Ｓ１の近くとの間に配置されるピックオフ領域Ｒｐ内に集中した磁界を発生させるために、主要磁気部材１８０を含む。回転可能な非強磁性円筒形シェル１６０は、細長い固定コア１６２の上に全体にわたって同軸に取り付けられ、第１端Ｅ１と第２端Ｅ２と滑らかな外面Ｓ２を有するシェル壁Ｗ１とを有する。キャリアビード・ピックオフ装置１５０は、更に少なくとも１つの細長い強磁性ストリップ１５２を含む。細長い強磁性ストリップ１５２は、シェル１６０の滑らかな外面Ｓ２の一部の上に形成され、（ｉ）その外面部分と共に回転し、（ii）ピックオフ領域内の集中された磁界を通って回転するときに一時的に磁化し、（iii）滑らかな外面Ｓ２の一部がピックオフ領域Ｒｐを通って回転するとき、主要磁気部材１８０によって滑らかな外面Ｓ２に向けて引き寄せられる強磁性キャリアビードＣｐに接触してそれを保持する。
【００２２】
キャリアビード・ピックオフ装置１５０は、また、固定コア１６２の第１のセグメント１６４内に取り付けられた磁石分路（シャント）部材１９０を含み、磁石分路部材１９０は、図示のように、滑らかな外面Ｓ２の外側の領域であってその磁石分路部材１９０付近の領域にある、主要磁気部材１８０の磁界の強度を最小にする。主要磁気部材１８０は永久磁石部材を含む。キャリアビード・ピックオフ装置１５０は、さらに、回転可能な非強磁性円筒形シェル１６０と協働するキャリアビードサンプ２００を含み、キャリアビードサンプ２００は、ピックオフ領域Ｒｐから離れた位置であって滑らかな外面Ｓ２上の少なくとも１つの細長い強磁性ストリップ１５２の回転経路の近くに配置されて、強磁性ストリップ１５２から剥離されたキャリアビードＣｐを受け取る。
【００２３】
一実施形態においては、キャリアビード・ピックオフ装置１５０は、図示のように、複数の細長い強磁性ストリップ１５２を含む。少なくとも１つの（あるいは複数の、あるいは全部の）細長い強磁性ストリップ１５２は、回転可能な非強磁性円筒形シェル１６０の第１端Ｅ１と第２端Ｅ２とに取り付けられた直線の強磁性ワイヤで成る。
【００２４】
細長い強磁性ストリップ１５２は、滑らかな外面Ｓ１に塗布されて、回転可能な非強磁性円筒形シェル１６０の第１端Ｅ１から第２端Ｅ２まで延びる直線の強磁性パウダーストリップ１５２であってもよい。かかる細長い強磁性ストリップ１５２は、固定コア１６２の第２セグメント１６６の周りを移動するときに一時的に磁化され、固定コア１６２の第１セグメント１６４の周りを移動するときに消磁される。
【００２５】
換言すれば、キャリアビード・ピックオフ装置１５０は、（ａ）感光体の現像された画像支持面Ｓ１の近くに隣接して、現像された画像支持面の移動方向１３を横切る方向に配置された、滑らかな外面Ｓ２を有する、回転可能な細長い円筒形シェル１６０と、（ｂ）円筒形シェル１６０内に軸方向に延びて配置されており、現像された画像支持面Ｓ１の近くにおいて軸方向に延びるピックオフ領域Ｒｐ内に集中された磁界を発生させる、細長い固定主要磁気手段となる主要磁気部材１８０と、（ｃ）円筒形シェル１６０の滑らかな外面Ｓ２の一部の上に固定して形成された、強磁性材料の少なくとも１つの直線ストリップ１５２とを含み、直線ストリップ１５２は、（ｉ）外面Ｓ２の部分と共に回転し、（ii）ピックオフ領域内の集中された磁界を通るとき一時的に磁化し、（iii）外面Ｓ２の一部がピックオフ領域Ｒｐを通るとき、主要磁気手段又は部材１８０によって円筒形シェルの外面Ｓ２に向けて引き寄せられる強磁性キャリアビードＣｐに接触して保持する。主要磁気手段又は部材１８０は、互いに３０度から６０度の範囲の相対的な角度方向に配置された反対極性の一対の磁極１８２、１８４を含む。
【００２６】
既述のように、（ａ）第１の細長いセグメントと第２の細長いセグメントとを有し、第２の細長いセグメントが、現像された画像支持面の近くに配置することができる、ピックオフ領域内に集中した磁界を発生させるための主要磁気部材を含む、細長い固定コアと、（ｂ）細長い固定コアの上に同軸に取り付けられ、第１端と第２端と滑らかな外面を有するシェル壁とを有する回転可能な非強磁性円筒形シェルと、（ｃ）滑らかな外面の一部の上に形成され、少なくとも１つの細長い強磁性ストリップとを含み、このストリップが、（ｉ）外面部分と共に回転し、（ii）ピックオフ領域内の集中された磁界を通って回転するときに一時的に磁化し、（iii）外面部分がピックオフ領域を通って回転するとき、主要磁気部材によって滑らかな外面に向けて引き寄せられる強磁性キャリアビードに接触して保持する構成である、キャリアビード・ピックオフ装置が提供される。
【００２７】
最初に提示され、修正された特許請求の範囲の請求項は、ここで開示された実施形態及び教示の変化、代案、変更、改善、均等物、及び実質的な均等物を包含し、例えば、出願人／特許権所有者その他から生じる、現在のところ予期されていない又は認められていないものを含む。
【図面の簡単な説明】
【００２８】
【図１】本開示に係るキャリアビード・ピックオフ装置を組み入れた静電写真式画像複製機の概略的な立面図である。
【図２】本開示に係るキャリアビード・ピックオフ装置の断面図である。
【図３】本開示に係るキャリアビード・ピックオフ装置の斜視図である。
【符号の説明】
【００２９】
１０：光導電ベルト
１５０：キャリアビード・ピックオフ装置
１５２：細長い強磁性ストリップ
１６０：非強磁性円筒形シェル
１６２：固定コア
１８０：主要磁気部材
１８２、１８４：磁極
１９０：磁石分路部材
２００：キャリアビードサンプ
【図１】
2006146216.tif 000003
【図２】
2006146216.tif 000004
【図３】
2006146216.tif 000005